(57)【要約】【課題】【解決手段】本発明は、エネルギー散逸装置（１）を有する保護構造（２３）であって、制動プロファイル（２）と、制動プロファイル（２）の長手方向軸（Ｌ）に沿って当該制動プロファイル（２）を通して引っ張ることができる少なくとも１枚のブレード（４Ａ、４Ｂ）を有する切断部（３）とを備える、保護構造（２３）に関する。【選択図】図２
2019530820.tif 000002
【特許請求の範囲】
【請求項１】
エネルギー散逸装置（１）を有する保護構造（２３）であって、
−  制動プロファイル（２）と、
−  切断部（３）であって、前記制動プロファイル（２）の長手方向軸（Ｌ）に沿って当該制動プロファイル（２）を通して引っ張ることができる少なくとも１つのブレード（４Ａ、４Ｂ）を有する切断部（３）と
を備える、保護構造（２３）。
【請求項２】
切断部（３）が、互いに距離を置いて配置された２枚のブレード（４Ａ、４Ｂ）を有することを特徴とする、請求項１に記載の保護構造。
【請求項３】
前記切断部（３）が、互いに距離を置いて配置されるとともに、接続ラグ（１３）に接続され、かつ、前記１枚の切縁（４）又は前記複数の切縁（４Ａ、４Ｂ）を備える、少なくとも１つ、好ましくは２つの切断シート（５Ａ、５Ｂ）を有することを特徴とする、請求項１又は２に記載の保護構造。
【請求項４】
前記制動プロファイル（２）が平ら又は平坦な金属板ストリップ（１１Ａ）として形成されていることを特徴とする、請求項１乃至３のいずれか一項に記載の保護構造。
【請求項５】
前記金属板ストリップ（１１Ａ）には、中央に配置されたガイドウェブ（１１Ｂ）が設けられていることを特徴とする、請求項１に記載の保護構造。
【請求項６】
前記制動プロファイル（２）は、中空プロファイル、好ましくは、円形又は角状の中空プロファイルとして形成されることを特徴とする、請求項１乃至３のいずれかに記載の保護構造。
【請求項７】
前記切断部（３）は、２枚のブレード（４Ａ、４Ｂ）が設けられた平らな切断プロファイル（１７）を有することを特徴とする、請求項６に記載の保護構造。
【請求項８】
前記平らな切断プロファイル（１７）は、前記中空の制動プロファイル（２）に挿入可能なテンションロッド（１６）に接続されていることを特徴とする、請求項７に記載の保護構造。
【請求項９】
前記ブレード（４Ａ、４Ｂ）は、硬化して形成され、好ましくはガスニトロ化により硬化されることを特徴とする、請求項１乃至８のいずれかに記載の保護構造。
【請求項１０】
請求項１乃至９の少なくとも一項によって特徴づけられる、保護構造（２３）のためのエネルギー散逸装置（１）。
【請求項１１】
切断シート（５）に取り付けられた少なくとも１枚のブレード（４）を有する切断部（３）。
【請求項１２】
互いに距離を置いて配置された２枚の切断シート（５Ａ、５Ｂ）が設けられ、それぞれ切縁（４Ａ及び４Ｂ）を有するとともに、接続ラグ（１３）に接続され、好ましくは接続ラグ（１３）に溶接されていることを特徴とする、請求項１１に記載の切断部。
【請求項１３】
前記切断シート（５Ａ、５Ｂ）がそれぞれ、好ましくは対応するナットとの接続ネジの形態の接続器具を、その中を通して誘導することができる受容開口部（６Ａ、６Ｂ）を有することを特徴とする、請求項１１又は１２に記載の切断部。
【請求項１４】
内部にプレカット挿入ギャップ（７Ａ、７Ｂ）が設けられた平らな金属板ストリップ（１１Ａ）を有し、当該プレカット挿入ギャップ（７Ａ、７Ｂ）は、好ましくはテーパ状又は鈍角のテーパ状の入口領域（８Ａ、８Ｂ）に至り、次に当該テーパ状の入口領域（８Ａ、８Ｂ）は、好ましくは対応する挿入スリット（９Ａ、９Ｂ）に至る、エネルギー散逸装置（１）の制動プロファイル（２）。
【請求項１５】
前記平らな金属板ストリップ（１１Ａ）にはガイドウェブ（１１Ｂ）が設けられ、当該ガイドウェブ（１１Ｂ）の自由端には、エンドストップ（１０）が配置されていることが好ましい、請求項１４に記載の制動プロファイル。
【発明の詳細な説明】
【技術分野】
【０００１】
本発明は、請求項１に記載の保護構造に関する。
【背景技術】
【０００２】
国際公開第２００９／１３７９５１号による一般的な装置が知られている。この公知の装置は、ケーブル構造の衝撃吸収装置、特に落石、土砂崩れ及び雪に対する保護構造のための衝撃吸収装置として具現化されており、張力によって変形可能で、張力をかけたケーブルに設置された中間ピースが、１つ又は複数の長手方向部材を有するという事実に基づいて、張力をかけたケーブルに導入されるエネルギーを吸収する。ここで、その一端で、一方では少なくとも１つの長手方向部材がケーブル端に接続され、他方では、他方のケーブル端に接続された偏向部材の辺りに誘導される。最後に、中間部品が搭載された場合に、長手方向部材の形成された偏向角を実質的に維持する手段が設けられる。
【０００３】
一つには、この公知の装置の欠点としては、比較的構造的な手間がかかることがあるが、これはエネルギー吸収のために偏向部材を介して中間ピースの曲げや偏向が生じるという事実に主に基づくものであり、偏向角を維持するために、例えば２つのパイロットピンからなる特殊な装置が設けられなければならない。本発明に関連して実施されたさらなる試験により、衝撃吸収の開発をよりよく定義又は最適化するための一般的な印刷文書の目的にもかかわらず、ケーブルに特に高負荷が導入される場合には、さらなる改善の必要性があることが示された。
【発明の概要】
【０００４】
従って、本発明の目的は、請求項１の一般的な用語に従って、ケーブルに導入される負荷の少なくとも実質的に直線エネルギー吸収が確保される保護構造を形成することである。
【０００５】
上記の目的は、請求項１の特徴によって達成される。従属項は、本発明の有利な更なる展開を含む。
【０００６】
本発明の利点は、本発明に係る装置の構造設計をより簡略に実現できることを含むが、なぜならば、例えば偏向角を維持するための器具を必要とせず、直線的に誘導することができ、従って制動プロファイルを通して偏向しないように切断部を誘導することができ、又は張力が加えられたときにケーブルによって制動プロファイルを通して引っ張られるからである。
【０００７】
本発明に係る保護構造は、落石、落下木材、雪崩等に対して（例えば、自動車レースリングのキャッチフェンスとして）用いることができる。
【０００８】
このような保護構造は、通常、設置の長さに応じて、互いに距離を置いて配置され、かつ斜面で固定可能な複数の支持体を有するキャリア構造を有する。支持体には、メッシュ層が設けられ得ることが好ましいネットが取り付けられる。この目的のために、上下の搬送ケーブルが設けられる。上部搬送ケーブルは、支持体のキャリアヘッドの領域のネットを誘導し、下部搬送ケーブルは、支持脚の領域のネットを誘導する。ネットの横方向には、上下の搬送ケーブルがロックアンカーによって下層土に取り付けられており、本発明に係るエネルギー散逸装置は、この領域に、好ましくはネットの領域にも設けることができる。原則として、キャリア構造としてネットを広げる１本又は複数本のケーブルのみを使用することも可能である。
【０００９】
特に好ましい実施形態では、１本又は複数本の中間ケーブルが上部搬送ケーブルと下部搬送ケーブルとの間に存在し、これは、例えばネットのループに通すことによって接続することができる。ここで、制御構造の全長に亘って連続的に接続を実現することもできるし、又はキャリア構造のキャリアに亘って中間ケーブルが延在する領域では接続を省略することもできるが、その場合は、例として挙げたループスルーはこの領域では実現されない。
【００１０】
中間ケーブルは、制御構造の全長に亘って延在し、かつ保護構造の最も外側のキャリアの側方の下層土に固定されるが、この場合も、好ましくは、本発明の原理に従って形成されたエネルギー散逸装置又はケーブルブレーキが設けられ得る領域に、ロックアンカーを設けることができる。
【図面の簡単な説明】
【００１１】
本発明のさらなる詳細、特徴及び利点は、図面に基づく例示的な実施形態の以下の説明に記載する。
【図１】図１は、本発明に係る保護構造の簡略化した略側面図を示す。
【図２】図２は、本発明に係るエネルギー散逸装置のやや簡略化した略上面図又は側面図を示す。
【図３】図３は、本発明に係るエネルギー散逸装置のやや簡略化した略上面図又は側面図を示す。
【図４】図４は、図２及び図３に対応する本発明に係るエネルギー散逸装置のさらなる実施形態のレンダリングを示す。
【図５】図５は、図２及び図３に対応する本発明に係るエネルギー散逸装置のさらなる実施形態のレンダリングを示す。
【図６】図６は、本発明に係るエネルギー散逸装置で使用するための本発明に係る切断部又はギャップ部の斜視図を示す。
【発明を実施するための形態】
【００１２】
図１は、本発明に係る保護構造２３を概略的に簡略化して示すものであり、図１は側面図を示す。
【００１３】
保護構造２３は、通常、複数の支持体によって形成される、いわゆるキャリア構造を有し、これは、例えば斜面の基部のロックアンカー２４を介して固定されてよい。保護構造２３の制御構造の長さに応じて、複数のこのようなキャリアが設けられるが、これらは、斜面Ｈにおいて互いに選択可能な距離で隣り合って配置することができる。原則として、このようなキャリアを１つだけ、又はケーブル配列を１つだけ提供することも可能である。
【００１４】
保護構造２３はさらに、図１に見られるキャリア２５のキャリアヘッド２６’の領域において搬送ケーブル設備２７を介して誘導されるネット２４を有すが、搬送ケーブル設備２７は、１本の上部搬送ケーブル又は複数本の上部搬送ケーブルのいずれかを備えることが可能である。
【００１５】
支持体２５の支持脚２６の領域には、下部搬送ケーブル設備２８が設けられ、これも１本の搬送ケーブル又は複数本の搬送ケーブルで構成することができる。
【００１６】
図示された、特に好ましい例示的なケースでは、中間ケーブル設備２９が、上部搬送ケーブル設備２７と下部搬送ケーブル設備２８との間に設けられ得る。このケーブル設備２９は、ガイド装置３０又は３１を介してキャリア２５で誘導することができる１本又は複数本の中間ケーブルを有することができる。ここで、ガイド装置３０及び３１は、例えばシャックル、チューブケーブルガイド、キャリパーガイドとして具現化することができる。
【００１７】
さらに、図１による保護構造２３の実施形態は、上部ガイケーブル３２と下部ガイケーブル３３が設けられていることを示している。取付装置３４（ロックアンカー）を介して、上部ガイケーブル３２は、斜面Ｈの下層土にキャリア２５のキャリアヘッドを保持する一方、この固定が、キャリア２５の下部領域（支持脚２６）の下部ガイケーブル３３を引き受ける。図１に示されるように、これらのガイケーブル設備３２、３３の各々と共に、制動部材又はエネルギー散逸装置のスイッチを入れることができるが、これは図１のブロック３５の符号で示され、本発明に係る消散装置の上述の実施形態に従って具現化することができる。
【００１８】
上下搬送ケーブル（図１には示されていない）及び中間ケーブルの対応する固定は、本発明の原理に従って具現化することもできるエネルギー散逸装置３６（エネルギー吸収構造又はケーブルブレーキとも呼ばれる）によって実現することができ、これは図２〜図６に基づいて以下に説明する。ここで、個々のケーブル２７、２８、２９、３２、３３の各々で消散装置１のスイッチを入れたり、又は複数のケーブル（例えばケーブル２９及び３２、３３など）をこのような消散装置１に割り当てたりすることが可能である。
【００１９】
図２及び図３は、本発明に係るエネルギー散逸のための装置１（エネルギー散逸装置）の第一の特に好ましい実施形態を示す。
【００２０】
装置１は、制動プロファイル２を有しており、これは典型的な場合には、細長い矩形の金属板ストリップ１１Ａと、これに中央で溶接されたガイドウェブ１１Ｂとから構成されており、またこれには一端にエンドストップ１０が取り付けられている。
【００２１】
図２及び図３の組み合わせの図に示すように、エンドストップ１０の反対側に配置された金属板ストリップ１１Ａの端部の金属板ストリップ１１Ａには、エネルギー散逸を発生させる制動プロファイル２と共に作用する切断部３の部分である切断シート５Ａ及び５Ｂを挿入するための一対のプレカットギャップが設けられている。これら切断シート５Ａ及び５Ｂを挿入するためのプレカットギャップ７Ａ、７Ｂは、テーパ状の入口領域８Ａ又は８Ｂに至り、次にテーパ状の入口領域８Ａ又は８Ｂは、金属板ストリップ１１Ａの板厚全体を貫通するプレカット挿入スリット９Ａ、９Ｂに至る。
【００２２】
特に図３から分かるように、切断シート５Ａは、このような切縁を有する切断シート５Ｂと同様に切縁４Ａを有し、これは、図６に基づいてさらに詳細に説明される。
【００２３】
さらに図２と図３の組み合わせの図に示すように、金属板ストリップ１１Ｂには、図２及び図３には示されていないケーブル用の接続ラグ１２が設けられており、その目的のために、接続ラグ１２は、例えばケーブルシャックルを挿入するできる接続凹部１４を備えている。
【００２４】
また、切断部３は、符号１３で示す接続ラグも有し、その内側には、例えばケーブル設備のシャックルを挿入可能な接続凹部１５も設けられている。
【００２５】
ここで、図３は、接続凹部１４、１５が視線Ｆ方向に配置されていることを示しており、切断部３が制動プロファイル２に沿って引っ張られても傾きが生じ得ず、切断処理が均等化される。
【００２６】
エネルギー散逸のためのこのような装置１は、例えば符号３５及び３６で特徴付けられるエネルギー散逸装置の位置にある保護構造２３に設置することができる。
【００２７】
図２及び図３による実施形態の特定の利点は、金属板ストリップ１１Ａの対応する寸法によって、受信するエネルギーを非常に簡単に設定できることである。
【００２８】
さらに結果として、切断シート５Ａ及び５Ｂを簡単に挿入できるプレカットギャップ７Ａ及び７Ｂを介して簡単に取り付けられるという利点もある。さらに、ギャップ７Ａ及び７Ｂに接続するテーパ状の入口領域８Ａ及び８Ｂと、このテーパ状の入口領域８Ａ及び８Ｂに接続する挿入スリット９Ａ及び９Ｂによって切断プロセスが改善される。
【００２９】
先に説明したように、図２及び図３による実施形態では、制動プロファイル２は、平らな金属板ストリップ１１Ａとガイドウェブ１１Ｂから構成されており、よってＴプロファイルを形成している。ここで、ガイドウェブ１１Ｂは、切断シート５Ａ及び５Ｂの誘導を改善するが、必ずしも設ける必要のないオプションであり、本発明によれば、制動プロファイル２は、金属板ストリップ１１Ａのような平らな又は平坦な金属板ストリップであってもよい。
【００３０】
切断部３は、その１本又は複数本のブレード４Ａ、４Ｂを有する制動プロファイル２を通して引っ張られるため、制動プロファイル２が１本又は複数本のブレード４Ａ、４Ｂで分断され、つまり制動プロファイル２の一部が切断部３で切断されることによって、エネルギーの散逸が実現される。
【００３１】
これに対して、図４及び図５によるエネルギー散逸装置１の実施形態では、制動プロファイル２として中空プロファイルが使用されており、これは、例えば断面が円形又は角状を有するように具現化されてよい。すなわち、あらゆる種類の中空プロファイルが図４及び図５による実施形態には適している。
【００３２】
図４及び図５による実施形態の切断部３は、切縁４Ａ及び４Ｂを備える切断シート１７を有し、切断シート１７は、図４及び図５に示すように、中空の制動プロファイル２に挿入可能なテンションロッド１６に取り付けられる。テンションロッド１６の自由端には、保護構造のケーブルのケーブルシャックルが挿入可能な接続凹部１５を備える接続ラグ１３を有する。
【００３３】
反対の端部には、制動プロファイル２は符号１２で示す接続ラグも有するが、これは図２及び図３による実施形態の接続ラグ１２に対応し、かつこれに対応してケーブルシャックルを挿入するための接続凹部１４を有するからである。
【００３４】
制動プロセスの間に、そこに取り付けられた切断シート１７を含むテンションロッド１６を、中空の制動プロファイル２を介して切縁４Ａ及び４Ｂと共に引っ張ると、切縁４Ａ及び４Ｂが制動プロファイルを切り開き、エネルギー散逸が生じる。ここで、切断プロファイル１７は、図４及び図５の組み合わせの図からわかるように、平らなプロファイルとして具現化される。
【００３５】
典型的な事例では、図６の切断部３の斜視図に示すように、切断シート又は切断板５Ａ及び５Ｂは、上部領域は台形状に形成され、互いに平行に並べられる。さらに、切断板５Ａ及び５Ｂは、台形の領域と一体に形成される共に、接続ラグ１３に接続され（好ましくは溶接され）ている取付板１９及び２０を有し、接続ラグ１３は、本発明に係る切断部３の最終的な取付状態を示す。
【００３６】
図６に示すように、切断シート又は切断板５Ａ及び５Ｂは、互いに選択可能な距離Ａにあるが、これは、制動プロファイル２の上に置かれた状態では、ガイドウェブ１１Ｂ（もしも設けられている場合）が、結果として生じる中間空間内に受容されるからである。
【００３７】
さらに、図６は、切断板５Ａ及び５Ｂの台形部と取付板１９及び２０との間に配置されているのが、それぞれ１つの挿入スリット１７又は１８であり、これはＵ字状に形成され、切縁４Ａ又は４Ｂがそれぞれ基部に配置されている。切縁４Ｂからわかるように、それは切断板５Ｂの外壁面６Ｃで終わる誘導面取り部４Ｃで終わる。対応する面取り部は、切縁４Ａにもあるが、図６では見えない。制動プロファイル２に挿入される間、これらの面取り部は、切断されたプロファイル領域の剪断を容易にし、従って、均一なエネルギー散逸をもたらす。
【００３８】
さらに、図６に示すように、切断板５Ａと５Ｂは両方とも、対応する受開口部６Ａ及び６Ｂが互いに一直線に並ぶように配置されており、例えば対応するナットを備えた接続ネジ等の接続部材をこれらの受開口部６Ａ及び６Ｂに挿入することができ、対応するナットで取り付けることができる。この接続ねじは、図６には詳細に示されていないが、切断プロセス中の切断シート又は切断板５Ａ及び５Ｂの誘導を向上させ、切断シート又は切断板５Ａ及び５Ｂが切断プロセス中又は分割プロセス中に外側に向けて剪断されないようにする。
【００３９】
本発明に係る消散装置１の構成要素についての以上の説明から、制動プロファイル２及び切断部３は、それぞれ自律的かつ互いに独立して交換可能な対象を表すものであり、前述の構成上及び機能上の特徴によって特徴付けられる本発明の特徴である。
【００４０】
さらに、ブレード又は切縁４Ａ、４Ｂは、前述した両方の実施形態で硬化できることを強調すべきである。このような硬化は、好ましくは、ガスニトロ化によって実現可能である。
【００４１】
エネルギー散逸装置１のための制動プロファイル２の前述の特に好ましい実施形態は、プレカット挿入ギャップ７Ａ、７Ｂ、又は入口領域８Ａ、８Ｂ、もしくは挿入スリット９Ａ、９Ｂも有していない、単なる平らな金属板ストリップとして具現化することもできる。その場合は、例として説明した接続ラグ１２、１３などの接続ラグを設ければよい。しかしながら、挿入ギャップ、入口領域及び挿入スリットを備える制動プロファイル２の前述した実施形態は、特に好適な実施形態である。ここで、入口領域８Ａ、８Ｂは、テーパ状又は鈍角のテーパ状で形成することができる。ここで「テーパ状」とは、鋭角の流入領域を形成することであり、一方、「鈍角のテーパ状」とは、流入領域を少なくとも僅かに丸みを帯びるように具現化できることを意味する。
【００４２】
上記の書面による開示に加えて、図１乃至図６における本発明の図示されたレンダリングは、本発明の開示を補完することによって明示的に言及される。
【符号の説明】
【００４３】
１  エネルギー散逸装置
２  制動プロファイル
３  切断部/ギャップ部
４Ａ、４Ｂ  ブレード/切縁
５Ａ、５Ｂ  切断シート/切断プレート
６Ａ、６Ｂ  接続ねじ用受開口部
７Ａ、７Ｂ  プレカットギャップ
８Ａ、８Ｂ  テーパ状領域
９Ａ、９Ｂ  挿入スリット
１０  エンドストップ
１１Ａ  金属板ストリップ
１１Ｂ  ガイドウェブ
１２  接続ラグ
１３  接続ラグ
１４、１５  接続凹部
１６  テンションロッド
１７  挿入スリット
１８  挿入スリット
１９  取付板
２０  取付板
２３  保護構造
２４  ネット
２５  支持体
２６  支持脚
２６’  サポートヘッド
２７  上部搬送ケーブル設備
２８  下部搬送ケーブル設備
２９  中間ケーブル設備
３０、３１  ケーブルガイド部材（シャックル）
３２、３３  上下ガイケーブル設備
３４、３７  取付部材（ロックアンカー）
３５、３６  エネルギー散逸装置（ケーブルブレーキ、エネルギー吸収部材）
Ａ  距離
Ｆ  視線
Ｌ  長手方向軸
Ｚ  引き方向
Ｈ  斜面
【図１】
2019530820.tif 000003
【図２】
2019530820.tif 000004
【図３】
2019530820.tif 000005
【図４】
2019530820.tif 000006
【図５】
2019530820.tif 000007
【図６】
2019530820.tif 000008
【国際調査報告】
2019530820.tif 000009
2019530820.tif 000010
2019530820.tif 000011
2019530820.tif 000012
2019530820.tif 000013
2019530820.tif 000014